【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
螺旋形に巻いて一連のコイル状巻線にした細片で構成されるステントであって、細片は少なくとも２本の側帯を有し、少なくとも２本の側帯がそれぞれ、一連の曲げ部を備える蛇状パターンで形成され、細片の少なくとも２本の側帯が互いに接続され、ステントが拡張すると、少なくとも２本の側帯の曲げ部が開いて、細片を螺旋方向に伸張させ、細片を有意に解くことなくステントが拡張できるようにし、前記細片が２つの端部を有し、少なくとも２本の側帯が細片の２つの端部で互いに向かって収束し、したがって細片の２つの端部が先細になることを特徴とするステント。
【請求項２】
少なくとも２本の蛇状の側帯の隣接した曲げ部を接続する横支柱をさらに備えたことを特徴とする請求項１に記載のステント。
【請求項３】
各横支柱によって接続される隣接した複数の曲げ部が、反対方向を向いていることを特徴とする請求項２に記載のステント。
【請求項４】
横支柱が、定期的な間隔で少なくとも２本の蛇状の側帯を接続し、少なくとも２本の蛇状の側帯が、それぞれ、横支柱間に少なくとも１つの曲げ部を有することを特徴とする請求項２に記載のステント。
【請求項５】
横支柱が直線状であることを特徴とする請求項２に記載のステント。
【請求項６】
少なくとも２本の蛇状の側帯は、それぞれ横支柱によって接続され、
横支柱は、曲げ部を有することを特徴とする請求項１に記載のステント。
【請求項７】
横支柱は、細片が巻かれる螺旋方向に対して略垂直方向に延びることを特徴とする請求項２に記載のステント。
【請求項８】
細片が２つの端部を有し、細片の第１端部がステントの第１端部に配置され、細片の第２端部がステントの第２端部に配置されて、細片の各端部がステントの隣接する巻線に接合されることを特徴とする請求項１に記載のステント。
【請求項９】
細片の各端部が、溶接によって隣接する巻線に接合されることを特徴とする請求項８に記載のステント。
【請求項１０】
細片がワイヤで形成されることを特徴とする請求項１に記載のステント。
【請求項１１】
細片が平坦な金属から形成されることを特徴とする請求項１に記載のステント。
【請求項１２】
ステントが、細片を製造し、次に細片を螺旋状に巻いてステントを形成することによって形成されることを特徴とする請求項１に記載のステント。
【請求項１３】
前記ステントの端部は、滑らかに形成されていることを特徴とする請求項８に記載のステント。
【請求項１４】
螺旋形に巻いて一連のコイル状巻線にされ、かつ、２つの端部を有する細片を備えたステントであって、
前記細片は、別々に離れた少なくとも２本の側帯を備え、
少なくとも２本の側帯のそれぞれは、一連の曲げ部を備える蛇状パターンで形成され、
細片の少なくとも２本の側帯が互いに接続部で定期的に接続され、
少なくとも２本の側帯が細片の２つの端部で互いに向かって収束し、したがって細片の２つの端部が先細になり、
ステントが拡張すると、少なくとも２本の側帯の曲げ部が開いて、細片を螺旋方向に伸張させ、細片を有意に解くことなくステントが拡張できるようになっていることを特徴とするステント。
【請求項１５】
細片の第１端部がステントの第１端部に配置され、細片の第２端部がステントの第２端部に配置されて、細片の各端部がステントの隣接する巻線に接合されることを特徴とする請求項１４に記載のステント。
【請求項１６】
細片の各端部が、溶接によって隣接する巻線に接合されることを特徴とする請求項１５に記載のステント。
【請求項１７】
前記接続部は、少なくとも２本の蛇状の側帯の隣接した曲げ部を接続する横支柱であることを特徴とする請求項１４に記載のステント。
【請求項１８】
各横支柱によって接続される隣接した複数の曲げ部が、反対方向を向いていることを特徴とする請求項１７に記載のステント。
【請求項１９】
横支柱が、定期的な間隔で少なくとも２本の蛇状の側帯を接続し、少なくとも２本の蛇状の側帯が、それぞれ、横支柱間に少なくとも１つの曲げ部を有することを特徴とする請求項１７に記載のステント。
【請求項２０】
横支柱が直線状であることを特徴とする請求項１７に記載のステント。
【請求項２１】
少なくとも２本の蛇状の側帯は、それぞれ横支柱によって接続され、
横支柱は、曲げ部を有することを特徴とする請求項２０に記載のステント。
【請求項２２】
横支柱は、細片が巻かれる螺旋方向に対して略垂直方向に延びることを特徴とする請求項１７に記載のステント。
【請求項２３】
細片がワイヤで形成されることを特徴とする請求項１４に記載のステント。
【請求項２４】
細片が平坦な金属から形成されることを特徴とする請求項１４に記載のステント。
【請求項２５】
ステントが、細片を製造し、次に細片を螺旋状に巻いてステントを形成することによって形成されることを特徴とする請求項１４に記載のステント。
【請求項２６】
前記ステントの端部は、滑らかに形成されていることを特徴とする請求項１５に記載のステント。
【手続補正２】
【補正対象書類名】明細書
【補正対象項目名】００１１
【補正方法】変更
【補正の内容】
【００１１】
前記課題を解決する本発明は、螺旋形に巻いて一連のコイル状巻線にした細片で構成されるステントであって、細片は少なくとも２本の側帯を有し、少なくとも２本の側帯がそれぞれ、一連の曲げ部を備える蛇状パターンで形成され、細片の少なくとも２本の側帯が互いに接続され、ステントが拡張すると、少なくとも２本の側帯の曲げ部が開いて、細片を螺旋方向に伸張させ、細片を有意に解くことなくステントが拡張できるようにし、前記細片が２つの端部を有し、少なくとも２本の側帯が細片の２つの端部で互いに向かって収束し、したがって細片の２つの端部が先細になることを特徴とする。
【手続補正３】
【補正対象書類名】明細書
【補正対象項目名】００１２
【補正方法】変更
【補正の内容】
【００１２】
また、本発明は、螺旋形に巻いて一連のコイル状巻線にされ、かつ、２つの端部を有する細片を備えたステントであって、細片は、別々に離れた少なくとも２本の側帯を備え、少なくとも２本の側帯のそれぞれは、一連の曲げ部を備える蛇状パターンで形成され、細片の少なくとも２本の側帯が互いに接続部で定期的に接続され、少なくとも２本の側帯が細片の２つの端部で互いに向かって収束し、したがって細片の２つの端部が先細になり、ステントが拡張すると、少なくとも２本の側帯の曲げ部が開いて、細片を螺旋方向に伸張させ、細片を有意に解くことなくステントが拡張できるようになっていることを特徴とする。
【手続補正４】
【補正対象書類名】明細書
【補正対象項目名】００１３
【補正方法】変更
【補正の内容】
【００１３】
なお、本発明は、螺旋形に巻いて一連のコイル状巻線にした細片で構成されるステントであって、細片は、一連の四角いセルで形成され、展開されない状態において、四角いセルの側部が、蛇状パターンとなるように潰され、横支柱によって互いに接続される少なくとも２本の側帯を備え、横支柱は、形成されたステントの縦軸に対して平行に配置されるように、細片の長手方向に直交する方向に対して少し斜めになり、前記細片が２つの端部を有し、少なくとも２本の側帯が細片の２つの端部で互いに向かって収束し、したがって細片の２つの端部が先細になることで完成したステントの端部が直線状となることを特徴とするものであってもよい。
また、本発明は、螺旋形に巻いて一連のコイル状巻線にした細片で構成されるステントであって、細片は少なくとも２本の側帯を有し、少なくとも２本の側帯がそれぞれ、一連の曲げ部を備える蛇状パターンで形成され、細片の少なくとも２本の側帯が横支柱によって互いに接続され、横支柱は、形成されたステントの縦軸に対して平行に配置されるように、細片の長手方向に対して垂直でなく、かつ、細片の長手方向に直交する方向に対して少し斜めになり、ステントが拡張すると、少なくとも２本の側帯の曲げ部が開いて、細片を螺旋方向に伸張させ、細片を有意に解くことなくステントが拡張できるようにし、前記細片が２つの端部を有し、少なくとも２本の側帯が細片の２つの端部で互いに向かって収束し、したがって細片の２つの端部が先細になることで完成したステントの端部が直線状となり、管を化学エッチングすることにより製造されることを特徴とするものであってもよい。
また、本発明は、螺旋形に巻かれるステントを形成するために用いられる細片であって、蛇状パターンで形成される少なくとも２本の側帯と、形成されたステントの縦軸に対して平行に配置されるように、細片の長手方向に直交する方向に対して少し斜めになって前記２本の側帯を接続する横支柱とを備え、前記細片が２つの端部を有し、少なくとも２本の側帯が細片の２つの端部で互いに向かって収束し、したがって細片の２つの端部が先細になることで完成したステントの端部を直線状とすることを特徴とするものであってもよい。